(57)【要約】【課題】管理領域内にいる異常滞留者を効率よく検出する。【解決手段】出入管理システムは、ゲート監視装置１０および監視制御サーバ５０を有する。監視制御サーバ５０は、第１領域および第２領域へ互いに通行するときの時刻情報を格納可能で、第２領域内に滞留する滞留予定時間を登録可能なデータベース５５と、時刻情報および滞留予定時間に基づいて通行者が第２領域内に滞留している時間が滞留予定時間を超過しているか否かを判定する滞留予定時間超過判定手段５３と、滞留予定時間を超過しているときに異常滞留者を特定する第１異常滞留者特定手段６１と、通行者が滞留予定時間を経過しても第２領域に滞留しているときに、所定の時間間隔で出時刻を検出可能な周期通過確認手段５７と、出時刻が検出されないときに、通行者を異常滞留者として特定する第２異常滞留者特定手段６２と、を有する。【選択図】図２
2011238093.tif 000002
【特許請求の範囲】
【請求項１】
第１領域および第２領域を仕切る少なくとも１つの仕切壁に設けられて前記第１領域および第２領域を通行者が往復通行可能な少なくとも１つの出入管理ゲート付近に配置されたゲート監視装置と、前記ゲート監視装置に互いに通信可能な監視制御サーバと、を有し、前記出入管理ゲートを通行者が通過する状況を監視可能な出入監視システムにおいて、
前記ゲート監視装置は、
前記通行者が前記出入管理ゲートを前記第１領域から前記第２領域へ通過する時刻を入時刻として検出する手段と、前記通行者が前記第２領域から前記第１領域へ通過しようとするときの時刻を出時刻として検出する手段と、を備えた出入時刻検出手段と、
前記出入時刻検出手段で検出された前記入時刻および出時刻を含む時刻情報を、前記監視制御サーバへ送信可能な送信手段と、
を有し、
前記監視制御サーバは、
前記送信手段から送信された前記時刻情報を受信する受信手段と、
前記受信手段で受信した前記時刻情報を格納可能で、前記通行者が前記第２領域内に滞留する滞留予定時間を登録可能なデータベースと、
前記時刻情報および前記滞留予定時間に基づいて、前記通行者が前記第２領域内に滞留している時間が、前記滞留予定時間を超過しているか否かを判定する滞留予定時間超過判定手段と、
前記滞留予定時間超過判定手段で前記滞留予定時間を超過していると判定されたときに、前記通行者を異常滞留者として特定する第１異常滞留者特定手段と、
前記通行者が前記滞留予定時間を経過しても前記第２領域に滞留しているときに、所定の時間間隔で前記通行者が前記出入管理ゲートを通過したことを確認可能な周期通過確認手段と、
前記周期通過確認手段で、前記通行者が前記第２領域から前記第１領域に向かって前記出入管理ゲートを通過したことが確認されないときに、前記通行者を異常滞留者として特定する第２異常滞留者特定手段と、
前記第１異常滞留者特定手段および第２異常滞留者特定手段のうち、少なくとも一方で前記異常滞留者が特定されたときに、前記異常滞留者がいる旨を出力するように構成された異常滞留者情報出力手段と、
を有することを特徴とする出入監視システム。
【請求項２】
前記第１領域および第２領域の間は、複数の前記仕切壁によって複数の途中領域に仕切られて、
前記各ゲート監視装置それぞれが具備する前記各出入時刻検出手段は、前記通行者が前記各出入管理ゲートを前記第１領域側から前記第２領域側へ通過する時刻を入方向時刻として検出する手段と、前記通行者が前記第２領域側から前記第１領域側へ通過しようとするときの時刻を出方向時刻として検出する手段と、を有し、
前記時刻情報は、前記入方向時刻および出方向時刻を含み、
前記データベースは、前記通行者が前記各途中領域内それぞれで滞留する途中滞留予定時間を登録可能で、
前記滞留予定時間超過判定手段は、前記通行者が前記各途中領域内に滞留している時間が、滞留している前記途中領域に対応する前記途中滞留予定時間を超過しているか否かを判定する手段を含み、
前記第１異常滞留者特定手段は、前記滞留予定時間超過判定手段で前記各途中滞留予定時間のうち少なくとも１つを超過していると判定されたときに、前記通行者を前記異常滞留者として特定する手段を含むこと、
を特徴とする請求項１に記載の出入管理システム。
【請求項３】
前記第１領域および第２領域の間は、複数の前記仕切壁によって複数の途中領域に仕切られて、
前記各仕切壁に設けられた前記各出入管理ゲートの付近に配置された前記各ゲート監視装置は、前記通行者が前記各出入管理ゲートを前記第１領域側から前記第２領域側へ通過しようとすることを検出した情報と、前記通行者が前記第２領域側から前記第１領域側へ通過しようとすることを検出した情報と、を含むゲート情報を検出するゲート情報検出手段を有し、
前記送信手段は、前記ゲート情報検出手段で検出された前記ゲート情報を、前記監視制御サーバへ送信可能で、
前記データベースは、前記第１領域から前記第２領域に向かう間に前記通行者が通過する前記各出入管理ゲートの通過順を含む通過順序情報を登録可能で、
前記受信手段は、前記送信手段から送信された前記ゲート情報を受信可能で、
前記監視制御サーバは、
前記ゲート情報および前記通過順序情報に基づいて、前記通行者が前記第１領域から前記第２領域に向かって通過順序情報に登録された通過順序に従って通行しているか否かを判定する通過順序判定手段と、
前記通過順判定手段で前記登録された通過順序の通りに前記各出入管理ゲートを通行していないと判定されたときに、前記通行者を前記異常滞留者として特定する第３異常滞留者特定手段と、
を有することを特徴とする請求項１または請求項２に記載の出入管理システム。
【請求項４】
前記通行者が携帯可能で、前記滞留予定時間を登録可能な第１の携帯端末を有し、
前記ゲート監視装置は、前記通行者が前記出入管理ゲートを通過するときに前記第１の携帯端末から前記滞留予定時間を読み取って、前記滞留予定時間および前記時刻情報に基づいて、前記通行者が前記第２領域内に滞留している時間が前記滞留予定時間を超過しているか否かを判定し、前記滞留予定時間を超過していると判定されたときに前記通行者を異常滞留者として特定して、前記異常滞留者の存在情報を、前記監視制御サーバへ送信する手段を有し、
前記受信手段は、前記存在情報を受信可能で、
前記異常滞留者情報出力手段は、前記存在情報を受信したときに、前記異常滞留者がいる旨を出力するように構成されていること、
を特徴とする請求項１ないし請求項３のいずれか一項に記載の出入管理システム。
【請求項５】
前記通行者が携帯可能で、前記滞留予定時間および前記各途中滞留予定時間それぞれと同じ内容を含む第２の滞留予定時間を登録可能な第２の携帯端末を有し、
前記ゲート監視装置は、前記通行者が前記出入管理ゲートを通過するときに前記第２の携帯端末から前記第２の滞留予定時間を読み取って、前記第２の滞留予定時間および前記時刻情報に基づいて、前記通行者が所定の領域内に滞留している時間が前記第２の滞留予定時間を超過しているか否かを判定し、前記第２の滞留予定時間を超過していると判定されたときに前記通行者を異常滞留者として特定して、前記異常滞留者の存在情報を、前記監視制御サーバへ送信するように構成されて、
前記受信手段は、前記存在情報を受信可能で、
前記異常滞留者情報出力手段は、前記存在情報を受信したときに、前記異常滞留者がいる旨を出力するように構成されていること、
を特徴とする請求項２ないし請求項４のいずれか一項に記載の出入管理システム。
【請求項６】
第１領域および第２領域を仕切る少なくとも１つの仕切壁に設けられて前記第１領域および第２領域を通行者が往復通行可能な少なくとも１つの出入管理ゲート付近に配置されたゲート監視装置と、前記ゲート監視装置に互いに通信可能な監視制御サーバと、前記通行者が携帯可能な携帯端末と、を有し、前記出入管理ゲートを通行者が通過する状況を監視可能な出入監視システムにおいて、
前記携帯端末は、前記通行者が前記出入管理ゲートを前記第１領域から前記第２領域に向かって通過するときの時刻を入時刻として登録可能で、且つ、前記通行者が前記第２領域内に滞留する滞留予定時間を登録可能で、
前記ゲート監視装置は、
前記通行者の個人情報、前記滞留予定時間、および前記入時刻を、前記携帯端末と互いに送受信可能な携帯端末送受信手段と、
前記携帯端末送受信手段に互いに送受信可能で、前記通行者が前記出入管理ゲートを前記第１領域から前記第２領域へ通過する時刻を前記入時刻として検出する手段と、前記通行者が前記第２領域から前記第１領域へ通過しようとするときの時刻を出時刻として検出する手段と、を有する出入時刻検出手段と、
前記出入時刻検出手段で検出された前記入時刻および前記出時刻を含む時刻情報と、前記滞留予定時間と、に基づいて、前記通行者が前記第２領域内に滞留している時間が、前記滞留予定時間を超過しているか否かを判定する滞留予定時間超過判定手段と、
前記滞留予定時間超過判定手段で前記滞留予定時間を超過していると判定されたときに前記通行者を異常滞留者として特定して、前記異常滞留者の存在情報を前記監視制御サーバへ送信可能で、且つ、前記時刻情報を前記監視制御サーバへ送信可能な送信手段と、
を有し、
前記監視制御サーバは、
前記送信手段から送信された前記存在情報および前記時刻情報を受信する受信手段と、
前記受信手段で受信した前記存在情報および前記時刻情報を格納可能なデータベースと、
前記受信手段が、前記通行者が前記滞留予定時間を経過した後に前記出時刻を受信しないときに、所定の時間間隔で前記通行者が前記出入管理ゲートを通過したことを確認可能な周期通過確認手段と、
前記周期通過確認手段で、前記通行者が前記第２領域から前記第１領域に向かって前記出入管理ゲートを通過しようとしたことが確認されないときに、前記通行者を異常滞留者として特定する異常滞留者特定手段と、
前記存在情報を受信したとき、および、前記異常滞留者特定手段で前記異常滞留者が特定されたとき、のうち少なくとも一方で前記異常滞留者がいる旨を出力するように構成された異常滞留者情報出力手段と、
を有することを特徴とする出入監視システム。
【請求項７】
前記第１領域および第２領域の間は、複数の前記仕切壁によって複数の途中領域に仕切られて、
前記各ゲート監視装置それぞれが具備する前記各出入時刻検出手段は、前記通行者が前記各出入管理ゲートを前記第１領域側から前記第２領域側へ通過する入方向時刻と、前記通行者が前記第２領域側から前記第１領域側へ通過しようとするときの出方向時刻と、を検出可能に構成されて、
前記時刻情報は、前記入方向時刻および出方向時刻を含み、
前記携帯端末は、前記通行者が前記各途中領域内それぞれで滞留する途中滞留予定時間を登録可能で、
前記滞留予定時間超過判定手段は、前記通行者が前記各途中領域内に滞留している時間が、滞留している前記途中領域に対応する前記途中滞留予定時間を超過しているか否かを判定する手段を含み、且つ、前記滞留予定時間超過判定手段で前記各途中滞留予定時間のうち少なくとも１つを超過していると判定されたときに、前記通行者を前記異常滞留者として特定する手段を含むこと、
を特徴とする請求項６に記載の出入管理システム。
【請求項８】
第１領域および第２領域を仕切る仕切壁に設けられ出入管理ゲートの通行者の通過を管理する出入管理方法において、
前記通行者が前記第２領域内に滞留する滞留予定時間を登録する滞留予定時間登録工程と、
前記通行者が前記出入管理ゲートを前記第１領域から前記第２領域へ通過する入時刻を検出する入時刻検出工程と、
前記入時刻検出工程の後に、前記通行者が前記第２領域から前記第１領域へ通過するときの出時刻を検出する出時刻検出工程と、
前記出時刻検出工程の前で前記入時刻検出工程の後に、
前記入時刻を含む時刻情報および前記滞留予定時間に基づいて、前記通行者が前記第２領域内に滞留している時間が、前記滞留予定時間を超過しているか否かを判定する滞留予定時間超過判定工程と、
前記滞留予定時間超過判定工程の後に、前記滞留予定時間を超過していると判定されたときに前記通行者を異常滞留者として特定する第１異常滞留者特定工程と、
前記滞留予定時間超過判定工程の後に、前記通行者が前記滞留予定時間を経過しても前記第２領域に滞留しているときに、所定の時間間隔で前記通行者が前記出入管理ゲートを通過したことを確認する周期通過確認工程と、
前記滞留予定時間超過判定工程の後に、前記周期通過確認工程で前記通行者が前記第２領域から前記第１領域に向かって前記出入管理ゲートを通過しようとしたことが検出されないときに、前記通行者を異常滞留者として特定する第２異常滞留者特定工程と、
前記第１異常滞留者特定工程および第２異常滞留者特定工程のうち、少なくとも一方で前記異常滞留者が特定されたときに、前記異常滞留者がいる旨を出力するように構成された異常滞留者情報出力工程と、
を有することを特徴とする出入管理方法。
【発明の詳細な説明】
【技術分野】
【０００１】
本発明は、出入管理システムおよび出入管理方法に関する。
【背景技術】
【０００２】
近年、高度情報化に伴う企業内等におけるセキュリティ確保の重要性から、特定の建物あるいは部屋等に対する出入を厳しく管理する出入管理システムが種々に開発されている。特に原子力発電所、核燃料加工施設、放射性物質の再処理施設等の原子力施設、あるいは、企業、銀行、官庁等の建物においては、異常発生の監視が益々重要になっている。
【０００３】
このような出入管理システムは、中央処理制御装置と端末処理装置が、通行者のＩＤカード等の読取りでゲート通過の管理を行ない、出入管理ゲートでの異常事象の監視を行なうものが知られている（特許文献１）。
【先行技術文献】
【特許文献】
【０００４】
【特許文献１】特開２００８−１９７７３４号公報
【発明の概要】
【発明が解決しようとする課題】
【０００５】
従来の出入管理システムは、退出処置漏れ者等を検出するもので、１日に１度、異常滞留者の検出を行うように構成されるものが多い。このため、２４時間以内に退出すると、作業が予定時間以上に行われることや、予定にない作業領域へ立ち入ることを監視することが困難になることがある。
【０００６】
本発明は上述の課題を解決するためになされたものであり、その目的は、管理対象となる領域の出入りを監視し、当該領域内に異常に滞留する者（異常滞留者）を効率よく特定できるようにすることである。
【課題を解決するための手段】
【０００７】
上記目的を達成するための本発明に係る出入管理システムは、第１領域および第２領域を仕切る少なくとも１つの仕切壁に設けられて前記第１領域および第２領域を通行者が往復通行可能な少なくとも１つの出入管理ゲート付近に配置されたゲート監視装置と、前記ゲート監視装置に互いに通信可能な監視制御サーバと、を有し、前記出入管理ゲートを通行者が通過する状況を監視可能な出入監視システムにおいて、前記ゲート監視装置は、前記通行者が前記出入管理ゲートを前記第１領域から前記第２領域へ通過する時刻を入時刻として検出する手段と、前記通行者が前記第２領域から前記第１領域へ通過しようとするときの時刻を出時刻として検出する手段と、を備えた出入時刻検出手段と、前記出入時刻検出手段で検出された前記入時刻および出時刻を含む時刻情報を、前記監視制御サーバへ送信可能な送信手段と、を有し、前記監視制御サーバは、前記送信手段から送信された前記時刻情報を受信する受信手段と、前記受信手段で受信した前記時刻情報を格納可能で、前記通行者が前記第２領域内に滞留する滞留予定時間を登録可能なデータベースと、前記時刻情報および前記滞留予定時間に基づいて、前記通行者が前記第２領域内に滞留している時間が、前記滞留予定時間を超過しているか否かを判定する滞留予定時間超過判定手段と、前記滞留予定時間超過判定手段で前記滞留予定時間を超過していると判定されたときに、前記通行者を異常滞留者として特定する第１異常滞留者特定手段と、前記通行者が前記滞留予定時間を経過しても前記第２領域に滞留しているときに、所定の時間間隔で前記通行者が前記出入管理ゲートを通過したことを確認可能な周期通過確認手段と、前記周期通過確認手段で、前記通行者が前記第２領域から前記第１領域に向かって前記出入管理ゲートを通過したことが確認されないときに、前記通行者を異常滞留者として特定する第２異常滞留者特定手段と、前記第１異常滞留者特定手段および第２異常滞留者特定手段のうち、少なくとも一方で前記異常滞留者が特定されたときに、前記異常滞留者がいる旨を出力するように構成された異常滞留者情報出力手段と、を有することを特徴とする。
【０００８】
また、本発明に係る出入管理システムは、第１領域および第２領域を仕切る少なくとも１つの仕切壁に設けられて前記第１領域および第２領域を通行者が往復通行可能な少なくとも１つの出入管理ゲート付近に配置されたゲート監視装置と、前記ゲート監視装置に互いに通信可能な監視制御サーバと、前記通行者が携帯可能な携帯端末と、を有し、前記出入管理ゲートを通行者が通過する状況を監視可能な出入監視システムにおいて、前記携帯端末は、前記通行者が前記出入管理ゲートを前記第１領域から前記第２領域に向かって通過するときの時刻を入時刻として登録可能で、且つ、前記通行者が前記第２領域内に滞留する滞留予定時間を登録可能で、前記ゲート監視装置は、前記通行者の個人情報、前記滞留予定時間、および前記入時刻を、前記携帯端末と互いに送受信可能な携帯端末送受信手段と、前記携帯端末送受信手段に互いに送受信可能で、前記通行者が前記出入管理ゲートを前記第１領域から前記第２領域へ通過する時刻を前記入時刻として検出する手段と、前記通行者が前記第２領域から前記第１領域へ通過しようとするときの時刻を出時刻として検出する手段と、を有する出入時刻検出手段と、前記出入時刻検出手段で検出された前記入時刻および前記出時刻を含む時刻情報と、前記滞留予定時間と、に基づいて、前記通行者が前記第２領域内に滞留している時間が、前記滞留予定時間を超過しているか否かを判定する滞留予定時間超過判定手段と、前記滞留予定時間超過判定手段で前記滞留予定時間を超過していると判定されたときに前記通行者を異常滞留者として特定して、前記異常滞留者の存在情報を前記監視制御サーバへ送信可能で、且つ、前記時刻情報を前記監視制御サーバへ送信可能な送信手段と、を有し、前記監視制御サーバは、前記送信手段から送信された前記存在情報および前記時刻情報を受信する受信手段と、前記受信手段で受信した前記存在情報および前記時刻情報を格納可能なデータベースと、前記受信手段が、前記通行者が前記滞留予定時間を経過した後に前記出時刻を受信しないときに、所定の時間間隔で前記通行者が前記出入管理ゲートを通過したことを確認可能な周期通過確認手段と、前記周期通過確認手段で、前記通行者が前記第２領域から前記第１領域に向かって前記出入管理ゲートを通過しようとしたことが確認されないときに、前記通行者を異常滞留者として特定する異常滞留者特定手段と、前記存在情報を受信したとき、および、前記異常滞留者特定手段で前記異常滞留者が特定されたとき、のうち少なくとも一方で前記異常滞留者がいる旨を出力するように構成された異常滞留者情報出力手段と、を有することを特徴とする。
【０００９】
また、本発明に係る出入管理方法は、第１領域および第２領域を仕切る仕切壁に設けられ出入管理ゲートの通行者の通過を管理する出入管理方法において、前記通行者が前記第２領域内に滞留する滞留予定時間を登録する滞留予定時間登録工程と、前記通行者が前記出入管理ゲートを前記第１領域から前記第２領域へ通過する入時刻を検出する入時刻検出工程と、前記入時刻検出工程の後に、前記通行者が前記第２領域から前記第１領域へ通過するときの出時刻を検出する出時刻検出工程と、前記出時刻検出工程の前で前記入時刻検出工程の後に、前記入時刻を含む時刻情報および前記滞留予定時間に基づいて、前記通行者が前記第２領域内に滞留している時間が、前記滞留予定時間を超過しているか否かを判定する滞留予定時間超過判定工程と、前記滞留予定時間超過判定工程の後に、前記滞留予定時間を超過していると判定されたときに前記通行者を異常滞留者として特定する第１異常滞留者特定工程と、前記滞留予定時間超過判定工程の後に、前記通行者が前記滞留予定時間を経過しても前記第２領域に滞留しているときに、所定の時間間隔で前記通行者が前記出入管理ゲートを通過したことを確認する周期通過確認工程と、前記滞留予定時間超過判定工程の後に、前記周期通過確認工程で前記通行者が前記第２領域から前記第１領域に向かって前記出入管理ゲートを通過しようとしたことが検出されないときに、前記通行者を異常滞留者として特定する第２異常滞留者特定工程と、前記第１異常滞留者特定工程および第２異常滞留者特定工程のうち、少なくとも一方で前記異常滞留者が特定されたときに、前記異常滞留者がいる旨を出力するように構成された異常滞留者情報出力工程と、を有することを特徴とする。
【発明の効果】
【００１０】
本発明によれば、管理対象となる領域の出入りを監視し、当該領域内の異常滞留者を効率よく特定することが可能になる。
【図面の簡単な説明】
【００１１】
【図１】本発明に係る第１の実施形態の出入管理システムの構成を示すブロック図である。
【図２】図１のゲート監視装置および監視制御サーバ等の構成を示すブロック図である。
【図３】図２のデータベースの構成の一部を示すデータテーブルである。
【図４】図１の出入管理システムを用いて異常滞留者を検出する手順を示すフローチャートである。
【図５】本発明に係る第２の実施形態の出入管理システムの構成を示すブロック図である。
【図６】図５の第１ゲート監視装置および監視制御サーバ等の構成を示すブロック図である。
【図７】図６のデータベースの構成の一部を示すデータテーブルで、第１出入管理ゲート、第２Ａ出入管理ゲートおよび第３Ａ出入管理ゲートそれぞれの入方向時刻および出方向時刻が格納された状態を示している。
【図８】図６のデータベースの構成の一部を示すデータテーブルで、第２〜第４領域それぞれの滞留予定時間が登録された状態を示している。
【図９】本発明に係る第３の実施形態の出入管理システムのデータベースの構成の一部を示すデータテーブルで、作業種別毎の第２〜第４領域それぞれの滞留予定時間が登録されている状態を示している。
【図１０】図９の実施形態のデータベースの構成の一部を示すデータテーブルで、各作業者が第２〜第４領域それぞれに滞留した時間が格納された状態を示している。
【図１１】本発明に係る第４の実施形態の出入管理システムの第１ゲート監視装置および監視制御サーバ等の構成を示すブロック図である。
【図１２】図１１のデータベースの構成の一部を示すデータテーブルである。
【図１３】本発明に係る第５の実施形態の出入管理システムのゲート監視装置および監視制御サーバ等の構成を示すブロック図である。
【発明を実施するための形態】
【００１２】
以下、本発明の実施形態について、図面を参照して説明する。
【００１３】
［第１の実施形態］
本発明に係る第１の実施形態について、図１〜図４を用いて説明する。図１は、本実施形態の出入管理システムの構成を示すブロック図である。図２は、図１のゲート監視装置１０および監視制御サーバ５０等の構成を示すブロック図である。図３は、図２のデータベース５５の構成の一部を示すデータテーブルである。図４は、図１の出入管理システムを用いて、異常滞留者を検出する手順を示すフローチャートである。
【００１４】
先ず、本実施形態の出入管理システムの構成について説明する。
【００１５】
この出入管理システムは、図１に示すように、仕切壁１１０によって仕切られた第１領域１０１および第２領域１０２を通行する通行者の滞留時間等を管理可能なシステムである。この出入管理システムは、仕切壁１１０に設けられた出入管理ゲート９０付近に配置されたゲート監視装置１０と、このゲート監視装置１０に互いに通信可能な監視制御サーバ５０と、通行者が携帯可能な携帯端末と、を有する。ここで、本実施形態の携帯端末は、ＩＤカード７０を用いている。
【００１６】
第１領域１０１は、通行者が自由に滞留することができる領域、例えば、建物の外等である。第２領域１０２は、通行者の出入りが管理される管理領域である。仕切壁１１０は、第１領域１０１および第２領域１０２を仕切るものである。この仕切壁１１０には、通行者が通行することができる出入管理ゲート９０が設けられている。
【００１７】
ゲート監視装置１０は、管理対象となる出入管理ゲート９０の付近の仕切壁１１０に取り付けられている。このゲート監視装置１０は、個人情報読取手段１５と、出入時刻検出手段１６と、送信手段１７と、を有する（図２）。
【００１８】
個人情報読取手段１５は、通行者が携帯するＩＤカード７０に記録（登録）されている氏名等の個人情報を読み取る機能を備えている。
【００１９】
出入時刻検出手段１６は、通行者が出入管理ゲート９０を第１領域１０１から第２領域１０２へ通過する入時刻と、通行者が第２領域１０２から第１領域１０１へ通過するときの出時刻と、を検知する機能を備えた装置である。この出入時刻検出手段１６は、通行者が出入管理ゲート９０を出入りしようとして、ＩＤカード７０の個人情報を個人情報読取手段１５に読み取らせたときの時刻を、入時刻または出時刻として検出する。このとき、第１領域１０１から第２領域１０２への移動は、入室する方向（入方向）として、第２領域１０２から第１領域１０１への移動を退室する方向（出方向）としている。
【００２０】
送信手段１７は、出入管理ゲート９０を通行しようとする通行者の名前等の個人情報と、出入時刻検出手段１６で検出した入時刻および出時刻を含む時刻情報とを、監視制御サーバ５０へ送信する機能を有している。
【００２１】
監視制御サーバ５０は、上述したようにゲート監視装置１０に互いに通信可能で、出入管理ゲート９０等から離れた場所、例えば監視室等に配置されている。この監視制御サーバ５０は、図２に示すように、受信手段５１と、データベース５５と、制御部８０と、異常滞留者情報出力手段６５と、を有する。制御部８０は、滞留予定時間超過判定手段５３と、第１異常滞留者特定手段６１と、第２異常滞留者特定手段６２と、周期通過確認手段５７と、を有する。
【００２２】
受信手段５１は、送信手段１７から送信された個人情報および時刻情報を受信する機能を備えている。
【００２３】
データベース５５は、受信手段５１で受信した個人情報および時刻情報を格納可能で、且つ、通行者が第２領域１０２内に滞留する滞留予定時間および当該通行者の氏名等の個人情報を登録可能である。このデータベース５５は、監視制御サーバ５０とは別体のキーボード等の入力手段７５より、書込みおよび書換え可能に構成されている。
【００２４】
このデータベース５５は、例えば、図３に示すように、出入管理ゲート９０を通行して第２領域１０２で作業する通行者、すなわち第２領域１０２で作業する作業者の個人情報と、入時刻および出時刻等の時刻情報とが登録される。この図の例では、作業者ＭＡの第２領域（管理領域）１０２に入室する入時刻と、第２領域（管理領域）１０２から退室する出時刻とが、図３における作業者ＭＡの欄に格納される。ここで、入時刻および出時刻は、年月日および時刻が登録される。
【００２５】
出時刻が格納されたときに、作業者ＭＡが実際に第２領域１０２に滞留した滞留時間が計算されて、当該計算結果が登録される。当該滞留時間の最小単位は「分」である。これらとは別に、作業者ＭＡが第２領域１０２に滞留する滞留予定時間が予め登録されている。当該滞留予定時間の最小単位を「分」としている。
【００２６】
時刻情報を含む時間に関する情報について、複数の作業者、図３における作業者ＭＡ、作業者ＭＢ、作業者ＭＣ、作業者Ｍｘ等についてそれぞれ格納および登録される。
【００２７】
滞留予定時間超過判定手段５３は、データベース５５に格納された時刻情報およびデータベース５５に登録された滞留予定時間に基づいて、通行者が第２領域１０２内に滞留している時間が、滞留予定時間を超過しているか否かを判定する機能を備えている。この例では、入時刻と現在時刻との差分を計算して、滞留予定時間よりも短いか否かを判定する。なお、判定するための計算方法はこれに限られない。
【００２８】
第１異常滞留者特定手段６１は、滞留予定時間超過判定手段５３で滞留予定時間を超過していると判定されたときに、すなわち、入時刻と現在時刻との差分の計算結果が、滞留予定時間よりも長いと判定されたときに、当該通行者を異常滞留者として特定する機能を有する。ここで、第１異常滞留者特定手段６１は、異常滞留者を特定したときに、その旨を異常滞留者情報出力手段６５へ送信する機能を備えている。
【００２９】
周期通過確認手段５７は、通行者が滞留予定時間を経過しても第２領域１０２に滞留しているときに、所定の時間間隔で通行者が出入管理ゲート９０を通過したことを確認する機能を備えている。ここで、通行者が滞留予定時間を経過しても第２領域１０２に滞留しているときとは、通行者が滞留予定時間を経過しても出入時刻検出手段１６が出時刻を検出しないときのことである。所定の時間間隔で出時刻を検出する手順については後で説明する。
【００３０】
第２異常滞留者特定手段６２は、通行者が第２領域１０２から第１領域１０１に向かって出入管理ゲート９０を通過したことが、周期通過確認手段５７で確認されないときに、当該通行者を異常滞留者として特定する機能を備えている。ここで、第２異常滞留者特定手段６２は、第１異常滞留者特定手段６１と同様に、異常滞留者を特定したときに、その旨を異常滞留者情報出力手段６５へ送信する機能を備えている。
【００３１】
異常滞留者情報出力手段６５は、第１異常滞留者特定手段６１から異常滞留者が第２領域１０２内にいる旨を含む情報を受信したときに、その旨を出力装置７７に出力する機能を備えている。また、異常滞留者情報出力手段６５は、第２異常滞留者特定手段６２から異常滞留者が第２領域１０２内にいる旨を含む情報を受信したときも、同様に出力することができる。この異常滞留者情報出力手段６５は、第１および第２異常滞留者特定手段６１、６２のうち、少なくとも一方からら異常滞留者が第２領域１０２内にいる旨を含む情報を受信したときに、その旨を出力装置７７に出力できる。ここで、出力装置７７は、異常滞留者がいることを音声出力する警報装置や、文字情報を出力するディスプレイ等を含む。
【００３２】
続いて、本実施形態の出入管理システムを用いて異常滞留者を特定して、異常滞留者がいることを知らせる手順について、図４のフローチャート等を用いて説明する。
【００３３】
先ず、通行者（第２領域１０２で作業する作業者）が第２領域１０２内に滞留する滞留予定時間、例えば第２領域１０２内で作業する予定時間を監視制御サーバ５０のデータベース５５に登録する（ステップＳ０１）。
【００３４】
以下、通行者が第１領域１０１から第２領域１０２へ移動（入室）して、所定の作業を行った後に、第２領域１０２から第１領域１０１へ移動（退室）する場合について説明する。
【００３５】
通行者が出入管理ゲート９０を第１領域１０１から第２領域１０２へ通過する時刻、すなわち入室する時刻を検出する（ステップＳ０２）。このときゲート監視装置１０は、通行者が携帯するＩＤカード７０の個人情報を読み取って、当該情報を読み取った時刻を入時刻として検出している。
【００３６】
この後、出入管理システムは、通行者が第２領域１０２から第１領域１０１に向かって移動、すなわち第２領域１０２を退室するまで管理する。すなわち、ゲート監視装置１０が出時刻を検出するまで管理する（ステップＳ０３）。
【００３７】
ゲート監視装置１０が出時刻を検出したときに、滞留予定時間を超過したか否かを判定する（ステップＳ０４）。この例では、上述したように、入時刻と現在時刻との差分の計算結果と、滞留予定時間と、を比較する。ここで、滞留予定時間以内であるときは、正常と判定されて、出入管理システムによる通行者の管理が終了する（ステップＳ１０）。
【００３８】
ゲート監視装置１０が出時刻を検出しないときは、滞留予定時間を超過したか否かを判定する（ステップＳ０５）。ここで、滞留予定時間以内のときは、出時刻を検出可能な状態を維持する。滞留予定時間を超過しているときは、第２領域１０２に異常滞留者が存在する旨を出力する（ステップＳ０６）。このとき、警報等で当該情報を出力する。
【００３９】
この後に、所定の時間間隔で出時刻を検出するかどうかを確認する。
【００４０】
先ず、所定の時間（例えば１分）が経過したか否かを確認する（ステップＳ０７）。ここで１分を経過するまでは、当該確認作業（ステップＳ０７）を継続する。１分を経過したときは、ゲート監視装置１０が出時刻を検出したか否かを確認する（ステップＳ０８）。ここで、出時刻を検出したときは、異常滞留者がいることを出力した状態を保持して、当該通行者の出入状況の管理を終了する（ステップＳ１０）。
【００４１】
出時刻を検出していないときは、さらに、異常滞留者がいる旨を出力する（ステップＳ０９）。この後に、１分を経過したか否かを確認して、１分経過後に出時刻を検出したか否かを確認する（ステップＳ０８）。ここで出時刻を検出しないときには、再び、異常滞留者がいる旨を出力する（ステップＳ０９）。
【００４２】
当該システムは、出時刻を検出するまで１分毎に異常滞留者がいる旨を出力し続ける。これにより、異常滞留者の存在を施設管理者等に複数回伝達できる。これにより、異常滞留者を検出する精度が向上する。
【００４３】
以上の説明からわかるように、本実施形態によれば、第２領域（管理領域）１０２内にいる異常滞留者を効率よく特定することが可能になる。
【００４４】
［第２の実施形態］
本発明に係る第２の実施形態について、図５〜図８を用いて説明する。図５は、本実施形態の出入管理システムの構成を示すブロック図である。図６は、図５の第１ゲート監視装置１１および監視制御サーバ５０等の構成を示すブロック図である。図７は、図６のデータベース５５の構成の一部を示すデータテーブルで、第１出入管理ゲート９１、第２Ａ出入管理ゲート９２ａおよび第３Ａ出入管理ゲート９３ａそれぞれの入方向時刻および出方向時刻が格納された状態を示している。図８は、図６のデータベース５５の構成の一部を示すデータテーブルで、第２〜第４領域１０２〜１０４それぞれの滞留予定時間が登録された状態を示している。
【００４５】
なお、本実施形態は、第１の実施形態の変形例であって、第１の実施形態（図１〜図４）と同一部分または類似部分には、同一符号を付して、重複説明を省略する。
【００４６】
本実施形態の出入管理システムは、複数の領域を通過する場合において、各領域それぞれの内部の異常滞留者を特定可能なシステムである。
【００４７】
本実施形態の出入管理システムが管理する建物は、図５に示すように、管理外の第１領域１０１と、通行や滞留が管理される３つの管理領域、すなわち、第２領域１０２、第３領域１０３、および第４領域１０４を有する。この例では、第２領域１０２は第３領域１０３を取り囲むように形成されて、第３領域１０３は第４領域１０４を取り囲むように形成される。
【００４８】
第１領域１０１は、第１の実施形態（図１）と同様に、管理外の領域で、通行者が自由に滞留可能な領域である。第２領域１０２は、第１の実施形態（図１）と同様に、１つの出入管理ゲート、この例では第１出入管理ゲート９１が設けられて、当該ゲートの通行が管理される。
【００４９】
第３領域１０３および第４領域１０４は、第１の実施形態で説明した第２領域１０２よりも、よりセキュリティレベルが高い領域である。
【００５０】
第１領域１０１および第２領域１０２を仕切る第１仕切壁１１１には、第１出入管理ゲート９１が設けられている。この第１出入管理ゲート９１付近の第１仕切壁１１１には、第１ゲート監視装置１１が取り付けられている。
【００５１】
第２領域１０２および第３領域１０３を仕切る第２仕切壁１１２には、２つのゲート、すなわち第２Ａ出入管理ゲート９２ａおよび第２Ｂ出入管理ゲート９２ｂが設けられている。第２Ａ出入管理ゲート９２ａ付近の第２仕切壁１１２には第２Ａゲート監視装置１２ａが取り付けられて、第２Ｂ出入管理ゲート９２ｂ付近の第２仕切壁１１２には第２Ｂゲート監視装置１２ｂが取り付けられている。
【００５２】
同様に、第３領域１０３および第４領域１０４を仕切る第３仕切壁１１３には、２つのゲート、すなわち第３Ａ出入管理ゲート９３ａおよび第３Ｂ出入管理ゲート９３ｂが設けられている。第３Ａ出入管理ゲート９３ａ付近の第３仕切壁１１３には第３Ａゲート監視装置１３ａが取り付けられて、第３Ｂ出入管理ゲート９３ｂ付近の第３仕切壁１１３には第３Ｂゲート監視装置１３ｂが取り付けられている。
【００５３】
第１ゲート監視装置１１、第２Ａゲート監視装置１２ａ、第２Ｂゲート監視装置１２ｂ、第３Ａゲート監視装置１３ａ、および第３Ｂゲート監視装置１３ｂは、それぞれ監視制御サーバ５０に互いに通信可能に接続されている。当該監視制御サーバ５０は、管理する建屋とは別の場所に配置されている。
【００５４】
第１ゲート監視装置１１（図６）は、第１の実施形態で説明したゲート監視装置１０（図２）とほぼ同じ構成で、個人情報読取手段１５と、出入時刻検出手段１６と、送信手段１７と、を有する。
【００５５】
個人情報読取手段１５は、第１の実施形態と同様に機能する。
【００５６】
出入時刻検出手段１６は、通行者が出入管理ゲートを第１領域１０１から第２領域１０２へ通過する入方向時刻と、通行者が第２領域１０２から第１領域１０１へ通過するときの出方向時刻と、を検知する機能を備えた装置である。このとき、第１領域１０１から第４領域１０４へ、すなわち、建屋の内部に向かう方向を入方向として、第４領域１０４から第１領域１０１へ向かう方向を出方向としている。後述する他のゲート監視装置についても入方向および出方向は、同じものとする。
【００５７】
送信手段１７は、通行者の個人情報および時刻情報を監視制御サーバ５０へ送信する機能を有している。このときの時刻情報は、出入時刻検出手段１６で検出した入方向時刻および出方向時刻を含む。
【００５８】
他のゲート監視装置、すなわち、第２Ａゲート監視装置１２ａ、第２Ｂゲート監視装置１２ｂ、第３Ａゲート監視装置１３ａ、および第３Ｂゲート監視装置１３ｂは、第１ゲート監視装置１１と同様に構成されている。
【００５９】
監視制御サーバ５０は、第１の実施形態とほぼ同じ構成で、受信手段５１と、データベース５５と、制御部８０と、異常滞留者情報出力手段６５と、を有する。制御部８０は、滞留予定時間超過判定手段５３と、第１異常滞留者特定手段６１と、第２異常滞留者特定手段６２と、周期通過確認手段５７と、を有する。
【００６０】
受信手段５１は、時刻情報を受信する機能を備えている。
【００６１】
データベース５５は、受信手段５１で受信した時刻情報、すなわち、各出入管理ゲート９１〜９３ｂそれぞれを通行者が通行したときに検出される入方向時刻および出方向時刻を格納可能である。図７では、作業者ＭＡが通行した第１出入管理ゲート９１、第２Ａ出入管理ゲート９２ａ、および第３Ａ出入管理ゲート９３ａそれぞれの各通過時刻が格納されている。ここで、第２Ｂ出入管理ゲート９２ｂおよび第３Ｂ出入管理ゲート９３ｂは、通行者である作業者ＭＡが通行していないため、図示を省略している。
【００６２】
また、通行者（作業者ＭＡ）が、第２領域１０２、第３領域１０３、および第４領域１０４それぞれに滞留する予定の時間、すなわち、第２領域滞留予定時間、第３領域滞留予定時間、および第４領域滞留予定時間を登録可能である（図８）。
【００６３】
各管理領域１０２〜１０４で異常滞留者を検出する手順は、第１の実施形態と同様に行う。
【００６４】
図８の例では、第４領域１０４のみで長時間作業するような作業種別である。この場合の作業者は、第２領域１０２および第３領域１０３を通り抜けるだけでよい。このため、第２領域滞留予定時間および第３領域滞留予定時間を、通り抜けるのに必要な時間としてそれぞれ５分に設定して、第４領域１０４滞留予定時間を作業予定時間として２時間に設定している。このように設定することで、作業者が第２および第３領域１０２、１０３に長時間滞留したときに、異常滞留者として特定される。
【００６５】
このとき、異常滞留者情報出力手段６５は、警報等で異常滞留者がいることを知らせると共に、各ゲート監視装置に設けられたゲート制御手段（図示せず）に対して、ゲートをロックするように指令してもよい。
【００６６】
以上の説明からわかるように、本実施形態によれば、作業者が予定した作業以外のことを行うことを抑制することができる。また、管理する領域を複数有する建屋についても、第１の実施形態と同様に、管理領域１０２〜１０４にいる異常滞留者の特定精度を向上させることができる。
【００６７】
［第３の実施形態］
本発明に係る第３の実施形態について、図９および図１０を用いて説明する。図９は、本実施形態の出入管理システムのデータベース５５の構成の一部を示すデータテーブルで、作業種別毎の第２〜第４領域１０２〜１０４それぞれの滞留予定時間が登録されている状態を示している。図１０は、本実施形態のデータベース５５の構成の一部を示すデータテーブルで、各作業者が第２〜第４領域１０２〜１０４それぞれに滞留した時間が格納された状態を示している。
【００６８】
なお、本実施形態は、第２の実施形態の変形例であって、第２の実施形態（図５〜図８）と同一部分または類似部分には、同一符号を付して、重複説明を省略する。
【００６９】
本実施形態のデータベース５５は、作業種別毎に滞留予定時間を登録可能である（図９）。この例では、３つの作業種別、すなわち、作業種別ＷＡ、作業種別ＷＢ、および作業種別ＷＣ、それぞれにおける第２〜第４領域１０２〜１０４の滞留予定時間が登録されている。
【００７０】
作業種別ＷＡは、第２〜第４領域１０２〜１０４それぞれで同じような作業を行うような作業種別で、第２〜第４滞留予定時間が全て１時間に登録されている。作業種別ＷＢは、各管理領域での滞留予定時間が３０分に登録されている。
【００７１】
また、作業種別ＷＣは、第２の実施形態で説明した作業と同様で、第２および第３領域１０２、１０３は通り抜けるのみなので、第２および第３領域１０２、１０３の滞留予定時間をそれぞれ５分に登録されて、長時間の作業を行う第４領域１０４の滞留予定時間は、２時間に登録されている。
【００７２】
図１０に示すように、本実施形態では、作業者ＭＡが作業種別ＷＡを行うように設定されている。このとき、作業者ＭＡが各出入管理ゲートを通行する時刻を検出して、第２〜第４領域１０２〜１０４に滞留する時間を算出する。このときに、予め登録されている作業種別ＷＡの滞留予定時間を超過しているか否かを判定して、超過しているときに作業者ＭＡを異常検出者として特定する。作業者ＭＢについても同様に管理する。
【００７３】
作業者ＭＣは、作業種別ＷＣの滞留予定時間に基づいて、作業者ＭＣが異常滞留者であるか否かを判定する。
【００７４】
以上の説明からわかるように、本実施形態によれば、予め作業種別毎に第２〜第４領域１０２〜１０４に滞留する滞留予定時間を登録しておくことで、各作業者が異常滞留者であるか否かを管理しやすくなる。これにより、管理領域にいる異常滞留者を特定する精度を向上させることができる。
【００７５】
［第４の実施形態］
本発明に係る第４の実施形態について、図１１および図１２を用いて説明する。図１１は、本実施形態の出入管理システムの第１ゲート監視装置１１および監視制御サーバ５０の構成を示すブロック図である。図１２は、図１１のデータベース５５の構成の一部を示すデータテーブルである。
【００７６】
なお、本実施形態は、第２の実施形態の変形例であって、第２の実施形態（図５〜図８）と同一部分または類似部分には、同一符号を付して、重複説明を省略する。
【００７７】
本実施形態の出入管理システムは、第２の実施形態と同様に、複数の領域を通過する場合において、各領域それぞれの内部の異常滞留者を特定可能なシステムである。また、当該出入管理システムは、各ゲートをどのような順序で通過するかを管理可能なシステムである。
【００７８】
本実施形態の第１ゲート監視装置１１の出入時刻検出手段１６および送信手段１７は、通行者が第１出入管理ゲート９１を通行したときに、通行者が通行したゲート情報、すなわち通行したゲートが「第１出入管理ゲート９１」であることを示す情報を、時刻情報と共に監視制御サーバ５０の受信手段５１に送信する機能を有している（図１１）。
【００７９】
他のゲート監視装置、すなわち、第２Ａゲート監視装置１２ａ、第２Ｂゲート監視装置１２ｂ、第３Ａゲート監視装置１３ａ、および第３Ｂゲート監視装置１３ｂは、第１ゲート監視装置１１と同様に構成されている。
【００８０】
一方、監視制御サーバ５０のデータベース５５は、第２の実施形態と同様に時刻情報を格納可能である。さらに、当該データベース５５は、通行者が第１領域１０１から、目的地の管理領域となる第４領域１０４まで移動して作業終了後に第４領域１０４から第１領域１０１まで移動する間に、通行する出入管理ゲートの順番、すなわち、通過順序情報を予め登録することが可能である（図１２）。
【００８１】
図１２の例では、作業者が第１領域１０１から第４領域１０４に移動するときに、第１出入管理ゲート９１、第２Ａ出入管理ゲート９２ａ、第３Ａ出入管理ゲート９３ａの順に通行するように登録される。第４領域１０４で所定の作業が完了した後に、第３Ａ出入管理ゲート９３ａ、第２Ａ出入管理ゲート９２ａ、第１出入管理ゲート９１の順に通行するように登録される。
【００８２】
また、監視制御サーバ５０は、ゲート通過順序判定手段６７と、第３異常滞留者特定手段６３と、を有する。ゲート通過順序判定手段６７（図１１）は、データベース５５に格納されたゲート情報が、予め登録された通過順序情報と同じか否かを判定する機能を備えている。第３異常滞留者特定手段６３は、ゲート通過順序判定手段６７で登録された通過順序の通りに各出入管理ゲートを通行しようとしていないと判定されたときに、当該通行者を異常滞留者として特定する機能を備えている。
【００８３】
図１２のように登録されている作業者が登録した順の通りに通行しないとき、例えば、第１出入管理ゲート９１を通行した後に、第２Ａ出入管理ゲート９２ａを通らずに第２Ｂ出入管理ゲート９２ｂを通行しようとしたときに、当該作業者が異常滞留者として特定される例を説明する。
【００８４】
作業者がＩＤカード７０を第２Ｂゲート監視装置１２ｂに読み込ませると、第２Ｂゲート監視装置１２ｂは、作業者のゲート情報、すなわち通行しようとする出入管理ゲートが第２Ｂ出入管理ゲート９２ｂであることを、時刻情報と共に受信手段５１に送信する。
【００８５】
これらの情報を受信した受信手段５１は、当該情報をデータベース５５に格納する。
【００８６】
ゲート通過順序判定手段６７は、格納されたゲート情報が通過順序情報と同じか否かを判定する。この例では、ゲート通過順序判定手段６７は、格納されたゲート情報および登録された通過順序情報は、異なるものであると判定して、その旨を第３異常滞留者出力装置７７に送信する。このとき、第３異常滞留者特定手段６３は、通行者を異常滞留者として特定し、その旨を異常滞留者情報出力手段６５へ送信する。
【００８７】
異常滞留者情報出力手段６５は、警報等で異常滞留者がいることを知らせると共に、第２Ｂゲート監視装置１２ｂのゲート制御手段（図示せず）に対して、ゲートをロックするように指令する。
【００８８】
以上の手順で、登録された通過順序情報の通りに各出入管理ゲートを通行しない通行者は、異常滞留者として特定される。これにより、第２の実施形態に比べて、異常滞留者を特定する精度が向上する。
【００８９】
［第５の実施形態］
本発明に係る第５の実施形態について、図１３を用いて説明する。図１３は、本実施形態の出入管理システムのゲート監視装置１０および監視制御サーバ５０等の構成を示すブロック図である。なお、本実施形態は、第１の実施形態の変形例であって、第１の実施形態（図１〜図４）と同一部分または類似部分には、同一符号を付して、重複説明を省略する。
【００９０】
本実施携帯のＩＤカード７０は、通行者の氏名等の個人情報と、通行者が第２領域１０２内に滞留する滞留予定時間と、を登録可能である。また、このＩＤカード７０は、後述する個人情報等送受信手段１５ａを介して出入時刻検出手段１６から送信された時刻情報等を、一時的に保存可能である。
【００９１】
ゲート監視装置１０は、個人情報等送受信手段１５ａと、出入時刻検出手段１６と、滞留予定時間超過判定手段５３と、送信手段１７と、を有する。
【００９２】
個人情報等送受信手段１５ａは、通行者が携帯するＩＤカード７０に記録（登録）されている個人情報と、第２領域１０２に滞留する滞留予定時間と、を受信する機能を備えている。さらに、個人情報等送受信手段１５ａは、出入時刻検出手段１６から送信された入時刻等を含む時刻情報を、ＩＤカード７０へ送信する機能を備えている。
【００９３】
出入時刻検出手段１６は、通行者が出入管理ゲート９０を第１領域１０１から第２領域１０２へ通過するときに個人情報等送受信手段１５ａが個人情報および滞留予定時間を受信したときの時刻を入時刻として検出する機能を有する。さらに、この出入時刻検出手段１６は、当該通行者が第２領域１０２から第１領域１０１へ通過しようとするときの時刻を出時刻として検出する機能を有する。
【００９４】
また、この出入時刻検出手段１６は、入時刻を検出したときに、当該入時刻を個人情報等送受信手段１５ａに送信するように構成されている。当該入時刻は、個人情報等送受信手段１５ａからＩＤカード７０へ送信されて、ＩＤカード７０に一時的に保存される。当該入時刻は、第１の実施形態と同様に、監視制御サーバ５０にも送信される。
【００９５】
当該通行者が第２領域１０２から第１領域１０１に向かって出入管理ゲート９０を通過しようとするとき、すなわち、管理領域から出ようとするときに、個人情報等送受信手段１５ａは、ＩＤカード７０から、個人情報、滞留予定時間および入時刻を受信する。さらに、個人情報等送受信手段１５ａは、このときの現在時刻の情報を出入時刻検出手段１６へ送信する。
【００９６】
個人情報等送受信手段１５ａは、当該現在時刻、個人情報、滞留予定時間、および入時刻を、出入時刻検出手段１６へ送信する。出入時刻検出手段１６は、当該現在時刻を出時刻として検出する。
【００９７】
出入時刻検出手段１６は、出時刻、入時刻、滞留予定時間、および個人情報等を、滞留予定時間超過判定手段５３へ送信する。
【００９８】
滞留予定時間超過判定手段５３は、入時刻、出時刻、および滞留予定時間に基づいて、通行者が第２領域１０２内に滞留している時間が、滞留予定時間を超過しているか否かを判定する。この滞留予定時間超過判定手段５３は、第１の実施形態で説明した監視制御サーバ５０内にあるものと同じように、入時刻と現在時刻との差分を計算して、当該計算結果が滞留予定時間を越えているか否かを判定する。さらに、本実施形態の滞留予定時間超過判定手段５３は、滞留予定時間を超過していると判定されたときに、通行者を異常滞留者として特定する機能を含んでいる。
【００９９】
送信手段１７は、第１の実施形態と同様に、個人情報および時刻情報を監視制御サーバ５０へ送信する。さらに、この送信手段１７は、異常滞留者の存在情報を監視制御サーバ５０へ送信する機能を有する。
【０１００】
監視制御サーバ５０は、受信手段５１と、データベース５５と、制御部８０と、異常滞留者情報出力手段６５と、を有する。制御部８０は、周期通過検出手段５７と、異常滞留者特定手段６０と、を有する。
【０１０１】
受信手段５１は、送信手段１７から送信された存在情報および時刻情報を受信する。データベース５５は、受信手段５１で受信した存在情報および時刻情報を格納可能である。
【０１０２】
周期通過確認手段５７は、第１の実施形態と同様に、受信手段５１が、通行者が滞留予定時間を経過した後に出時刻を受信しないときに、所定の時間間隔で通行者が出入管理ゲート９０を通過したことを確認可能である。
【０１０３】
異常滞留者特定手段６０は、周期通過確認手段５７で、通行者が第２領域１０２から第１領域１０１に向かって出入管理ゲート９０を通過したことが検出されないときに、通行者を異常滞留者として特定する機能を有する。
【０１０４】
異常滞留者情報出力手段６５は、存在情報を受信したとき、および、異常滞留者特定手段６０で異常滞留者が特定されたとき、のうち少なくとも一方で異常滞留者がいる旨を出力する。出力装置７７は、第１の実施形態と同様に構成されている。
【０１０５】
本実施形態では、第１の実施形態では監視制御サーバ５０で行っていた計算の一部が、ゲート監視装置１０で行うように構成されている。これにより、監視制御サーバ５０の負荷が軽減される。
【０１０６】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【０１０７】
例えば、第１の実施形態で説明した制御監視サーバ５０（図２）を、第５の実施形態で説明した制御監視サーバ５０（図１３）に置き換えてもよい。この場合、重複する機能はどちらか一方を用いればよい。
【０１０８】
また、第２〜第４の実施形態それぞれで説明した監視制御サーバ特徴５０を、第５の実施形態で説明した監視制御サーバ５０に置き換えてもよい。この場合、ＩＤカード７０には、少なくとも滞留予定時間が登録されていればよい。
【０１０９】
また、上記実施形態では、通行者が携帯可能な携帯端末をＩＤカード７０としているが、これに限らない。例えば、携帯電話等を用いることも可能である。また、上記実施形態の携帯端末には、個人情報等を登録可能なＩＤタグ等も含まれる。
【０１１０】
また、上記実施形態では、管理領域内に滞留する通行者の例について説明しているが、これに限らない。例えば所定の管理領域内を出入りする通行車両等を管理することも可能である。
【符号の説明】
【０１１１】
１０…ゲート監視装置、１１…第１ゲート監視装置、１２ａ…第２Ａゲート監視装置、１２ｂ…第２Ｂゲート監視装置、１３ａ…第３Ａゲート監視装置、１３ｂ…第３Ｂゲート監視装置、１５…個人情報読取手段、１５ａ…個人情報等送受信手段、１６…出入時刻検出手段、１７…送信手段、５０…監視制御サーバ、５１…受信手段、５３…滞留予定時間超過判定手段、５５…データベース、５７…周期通過確認手段、６０…異常滞留者特定手段、６１…第１異常滞留者特定手段、６２…第２異常滞留者特定手段、６３…第３異常滞留者特定手段、６５…異常滞留者情報出力手段、６７…ゲート通過順序判定手段、７０…ＩＤカード、７５…入力手段、７７…出力装置、８０…制御部、９０…出入管理ゲート、９１…第１出入管理ゲート、９２ａ…第２Ａ出入管理ゲート、９２ｂ…第２Ｂ出入管理ゲート、９３ａ…第３Ａ出入管理ゲート、９３ｂ…第３Ｂ出入管理ゲート、１０１…第１領域、１０２…第２領域、１０３…第３領域、１０４…第４領域、１１０…仕切壁、１１１…第１仕切壁、１１２…第２仕切壁、１１３…第３仕切壁
【図１】
2011238093.tif 000003
【図２】
2011238093.tif 000004
【図３】
2011238093.tif 000005
【図４】
2011238093.tif 000006
【図５】
2011238093.tif 000007
【図６】
2011238093.tif 000008
【図７】
2011238093.tif 000009
【図８】
2011238093.tif 000010
【図９】
2011238093.tif 000011
【図１０】
2011238093.tif 000012
【図１１】
2011238093.tif 000013
【図１２】
2011238093.tif 000014
【図１３】
2011238093.tif 000015